(57)【要約】  無線通信ネットワークにおけるデータ処理方法を提供し、この方法では、ある地理的領域のモバイル端末に、アップリンク制御チャネルのための少なくとも２つのリソースプールを提供し、この地理的領域内のモバイル端末は、これらの少なくとも２つのリソースプールの少なくとも一方をアップリンク制御チャネルに使用する。また、対応する装置及びシステムも提案する。【選択図】図２
2014517572.tif 000002
【特許請求の範囲】
【請求項１】
無線通信ネットワークにおけるデータ処理方法であって、
−  ある地理的領域のモバイル端末に、アップリンク制御チャネルのための少なくとも２つのリソースプールを提供し、
−  前記地理的領域内の前記モバイル端末は、前記少なくとも２つのリソースプールの少なくとも一方を前記アップリンク制御チャネルに使用する、
ことを特徴とする方法。
【請求項２】
前記地理的領域は、セル又はセルグループにより決定される、
ことを特徴とする請求項１に記載の方法。
【請求項３】
前記少なくとも２つのリソースプールは、多地点協調固有のリソースプールを含む、
ことを特徴とする請求項１又は２に記載の方法。
【請求項４】
前記２つのリソースプールの少なくとも一方は、システム情報から導出されるセル固有のアップリンク制御チャネルに対応する、
ことを特徴とする請求項１から３のいずれかに記載の方法。
【請求項５】
前記アップリンク制御チャネルのための前記リソースプールは、
−  特に異なるセルに割り当てられる別個のアップリンク制御チャネルリソースを有するセル固有のアップリンク制御チャネルと、
−  複数のセルに割り当てられる共通のアップリンク制御チャネルリソースを有する多地点協調固有のアップリンク制御チャネルと、
を含むことを特徴とする請求項１から４のいずれかに記載の方法。
【請求項６】
前記多地点協調固有のアップリンク制御チャネルは、地理的領域に対して決定される、
ことを特徴とする請求項５に記載の方法。
【請求項７】
アップリンク制御チャネルブランキングを使用して、前記多地点協調固有のアップリンク制御チャネルのリソースを解放する、
ことを特徴とする請求項５又は６に記載の方法。
【請求項８】
前記多地点協調固有のアップリンク制御チャネルに対応するリソースプールは、前記セル固有のアップリンク制御チャネルの少なくとも１つと共有される、
ことを特徴とする請求項５から７のいずれかに記載の方法。
【請求項９】
−  前記セル固有のアップリンク制御チャネルは、永続的アップリンク制御チャネルリソースプール及び動的アップリンク制御チャネルリソースプールを含み、
−  前記多地点協調固有のアップリンク制御チャネルは、永続的アップリンク制御チャネルリソースプール及び動的アップリンク制御チャネルリソースプールを含む、
ことを特徴とする請求項５から８のいずれかに記載の方法。
【請求項１０】
前記モバイル端末は、
−  前記モバイル端末が、永続的及び動的アップリンク制御チャネルリソースプールに前記セル固有のアップリンク制御チャネルを利用するように構成される設定、
−  前記モバイル端末が、前記セル固有のアップリンク制御チャネルの前記永続的アップリンク制御チャネルリソースプール、及び前記多地点協調固有のアップリンク制御チャネルの前記動的アップリンク制御チャネルリソースプールを利用するように構成される設定、
−  前記モバイル端末が、前記多地点協調固有のアップリンク制御チャネルの前記永続的及び前記動的アップリンク制御チャネルリソースプールを利用するように構成される設定、
のうちの１つの設定で構成される、
ことを特徴とする請求項９に記載の方法。
【請求項１１】
前記アップリンク制御チャネルのための前記リソースプールは、
−  所定のアップリンク制御チャネルシーケンスグループ又はシーケンスグループホッピングパターン、
−  所定のアップリンク制御チャネル物理レイヤセル識別情報、
のうちの少なくとも一方の属性を通じて識別される、
ことを特徴とする請求項１から１０のいずれかに記載の方法。
【請求項１２】
ダウンリンクリソース割り当てメッセージで修正インデックスが伝えられ、該修正インデックスは、
−  割り当てられたアップリンクリソースの修正又はシフト、及び／又は、
−  セル固有のリソースと多地点協調固有のリソースの間の切り替え機能、
を可能にする、
ことを特徴とする請求項１から１１のいずれかに記載の方法。
【請求項１３】
前記アップリンク制御チャネルは、ＰＵＣＣＨである、
ことを特徴とする請求項１から１２のいずれかに記載の方法。
【請求項１４】
無線ネットワークにおけるデータ処理装置であって、該装置は処理ユニットを備え、該処理ユニットは、
−  ある地理的領域のモバイル端末に、アップリンク制御チャネルのための少なくとも２つのリソースプールを提供し、
−  前記少なくとも２つのリソースプールの少なくとも一方が、前記地理的領域内の前記モバイル端末によって前記アップリンク制御チャネルに使用されるようにする、
ように構成される、
ことを特徴とする装置。
【請求項１５】
無線ネットワークにおけるデータ処理システムであって、該システムは少なくとも１つの処理ユニット又は装置を備え、該少なくとも１つの処理ユニット又は装置は、
−  ある地理的領域のモバイル端末に、アップリンク制御チャネルのための少なくとも２つのリソースプールを提供し、
−  前記少なくとも２つのリソースプールの少なくとも一方が、前記地理的領域内の前記モバイル端末によって前記アップリンク制御チャネルに使用されるようにする、
ように構成される、
ことを特徴とするシステム。
【請求項１６】
少なくとも１つの処理ユニット又は装置を備えたモバイル端末であって、前記少なくとも１つの処理ユニット又は装置は、
−  ある地理的領域のアップリンク制御チャネルのために提供される少なくとも２つのリソースプールを処理し、
−  前記少なくとも２つのリソースプールの少なくとも一方を、前記地理的領域内の前記アップリンク制御チャネルに使用する、
ように構成される、
ことを特徴とするモバイル端末。
【請求項１７】
前記２つのリソースプールの少なくとも一方は、システム情報から導出されるセル固有のアップリンク制御チャネルに対応する、
ことを特徴とする請求項１６に記載の方法。
【請求項１８】
ダウンリンクリソース割り当てメッセージで修正インデックスが伝えられ、該修正インデックスは、
−  割り当てられたアップリンクリソースの修正又はシフト、及び／又は、
−  セル固有のリソースと多地点協調固有のリソースの間の切り替え機能、
を可能にする、
ことを特徴とする請求項１６又は１７に記載の方法。
【発明の詳細な説明】
【技術分野】
【０００１】
本発明は、無線ネットワークにおけるデータ処理方法及び装置に関する。
【背景技術】
【０００２】
ロング・ターム・エボリューション（ＬＴＥ）システムなどの高周波数再利用を考慮すると、特に前記ＬＴＥシステムのパフォーマンスの制限因子として物理アップリンク制御チャネル（ＰＵＣＣＨ）カバレッジを検討することができる。制限されたＰＵＣＣＨカバレッジは、高周波数再利用によって生じることがある（例えば、ＬＴＥでは、再利用率＝１などの厳しい周波数再利用スキームを想定することができる）。このような高度周波数再利用に加え、各セル内の複数の（ユーザ装置（ＵＥ）とも呼ばれる）モバイル端末が、ＰＵＣＣＨの狭帯域周波数及び時間リソースを共有していることもある。
【０００３】
ＬＴＥでは、（ＵＥから基地局への）物理アップリンク制御チャネル（ＰＵＣＣＨ）セットアップが多地点協調（ＣｏＭＰ）環境においても使用される。セルは、ＰＵＣＣＨシーケンスグループ、物理セル識別符号、及び関連するＰＵＣＣＨ構成パラメータを含む独自のＰＵＣＣＨリソースプールを有する。しかしながら、ＣｏＭＰ環境において（マルチセルフィードバックが必要になることにより）フィードバックデータの量が大幅に増えるとセル間干渉が増し、これにより各プール内のリソースが制限されるので、ＰＵＣＣＨに悪影響が及ぶ。
【先行技術文献】
【特許文献】
【０００４】
【特許文献１】米国特許出願公開第２０１０／０１４２４６７号明細書
【発明の概要】
【発明が解決しようとする課題】
【０００５】
解決しようとする課題は、モバイル通信環境におけるアップリンク制御チャネル（特にＰＵＣＣＨ）の制限されたリソースの利用方法としての効率的な解決策を提供することである。
【課題を解決するための手段】
【０００６】
この課題は、独立請求項の特徴により解決される。従属請求項により、さらなる実施形態がもたらされる。
【０００７】
この課題を解決するために、無線通信ネットワークにおけるデータ処理方法を提供し、この方法では、
−  ある地理的領域のモバイル端末に、アップリンク制御チャネルのための少なくとも２つのリソースプールが提供され、
−  この地理的領域内のモバイル端末が、これらのアップリンク制御チャネルのための少なくとも２つのリソースプールの少なくとも一方を使用する。
【０００８】
従って、モバイル端末は、アップリンク制御チャネルのための少なくとも２つのリソースプールを通じて、システム情報に基づく構成と、上位層シグナリングを介する構成という２つの構成を取得することができる。上位層シグナリングは、ＰＵＣＣＨリソースプールを含むことができる。
【０００９】
モバイル端末は、上位層シグナリングされるリソースプールなどの一方のリソースプールのみを使用するように構成することができる。また、モバイル端末は、複数のリソースプールを使用することもできる。
【００１０】
各リソースプールは、例えば論理チャネル及び／又は物理リソースブロックを含む。任意に、各アップリンク制御チャネルリソースプールは、後方互換性を有する（すなわち、各アップリンク制御チャネルリソースプールは、レガシーＵＥをサポートすることができる）。
【００１１】
提示する解決策は、特にＣｏＭＰ（多地点協働又は協調）送信及び／又は受信の場合の物理アップリンク制御チャネル（ＰＵＣＣＨ）構成に適用可能である。
【００１２】
提示するアプローチは、特にＬＴＥ−Ａｄｖａｎｃｅｄに関し、ＬＴＥリリース１１又はその後のリリースの一部とすることができる。
【００１３】
この提示する解決策により、直交及び非直交リソースを最適に利用できるようになる。（ＣｏＭＰの要件となり得る）ＣＳＩペイロードの大幅な増加時に、ＰＵＣＣＨカバレッジを維持することができる。また、ＣｏＭＰエリア固有のＰＵＣＣＨのサイズを最小化できることにより、ＰＵＣＣＨオーバヘッドを低減することもできる。このアプローチは、様々なＣｏＭＰ展開シナリオにおいて柔軟に使用することができる。
【００１４】
ある実施形態では、地理的領域が、セル又はセルグループにより決定される。
【００１５】
なお、セルは、ｅＮＢとも呼ばれる基地局によって関連付けること、又は決定することができる。基地局は、複数のセルを含むこともできる。
【００１６】
別の実施形態では、少なくとも２つのリソースプールが、多地点協調固有のリソースプールを含む。
【００１７】
さらなる実施形態では、２つのリソースプールの少なくとも一方が、システム情報から導出されるセル固有のアップリンク制御チャネルに対応する。
【００１８】
次の実施形態では、アップリンク制御チャネルのためのリソースプールが、
−  特に異なるセルに割り当てられる別個のアップリンク制御チャネルリソースを有するセル固有のアップリンク制御チャネルと、
−  複数のセルに割り当てられる共通のアップリンク制御チャネルリソースを有する多地点協調固有のアップリンク制御チャネルと、
を含む。
【００１９】
グループ内では、セルのリソースを互いに（実質的に）干渉しないように空間的に分離することができる。この結果、移動局を、（セル固有のＰＵＣＣＨ／ＣｏＭＰ（エリア）固有のＰＵＣＣＨなどの）異なるセットアップのための複数のＰＵＣＣＨ構成で構成することができる。このアプローチの利点は、ＰＵＣＣＨリソースの分離によるＣｏＭＰフィードバックの増加時に、セル間干渉による影響が大きくない点である。また、フィードバックオーバヘッドを低減することもできる。
【００２０】
また、ある実施形態では、ある地理的領域のために、多地点協調固有のアップリンク制御チャネルが定められる。
【００２１】
別の実施形態では、アップリンク制御チャネルブランキングを使用して、多地点協調固有のアップリンク制御チャネルのリソースを解放する。
【００２２】
ある実施形態によれば、多地点協調固有のアップリンク制御チャネルに対応するリソースプールが、セル固有のアップリンク制御チャネルの少なくとも１つと共有される。
【００２３】
別の実施形態によれば、
−  セル固有のアップリンク制御チャネルが、永続的アップリンク制御チャネルリソースプール及び動的アップリンク制御チャネルリソースプールを含み、
−  多地点協調固有のアップリンク制御チャネルも、永続的アップリンク制御チャネルリソースプール及び動的アップリンク制御チャネルリソースプールを含む。
【００２４】
さらに別の実施形態によれば、モバイル端末が、
−  永続的及び動的アップリンク制御チャネルリソースプールにセル固有のアップリンク制御チャネルを利用するように構成される設定、
−  セル固有のアップリンク制御チャネルの永続的アップリンク制御チャネルリソースプール、及び多地点協調固有のアップリンク制御チャネルの動的アップリンク制御チャネルリソースプールを利用するように構成される設定、
−  多地点協調固有のアップリンク制御チャネルの永続的及び動的アップリンク制御チャネルリソースプールを利用するように構成される設定、
のうちの１つの設定で構成される。
【００２５】
さらに別の実施形態によれば、アップリンク制御チャネルのためのリソースプールが、
−  所定のアップリンク制御チャネルシーケンスグループ又はシーケンスグループホッピングパターン、
−  疑似ランダムホッピングパターンを導出するためなどの所定のアップリンク制御チャネル物理レイヤセル識別情報、
という属性の少なくとも一方を通じて識別される。
【００２６】
さらに別の実施形態によれば、ダウンリンクリソース割り当てメッセージで修正インデックスが伝えられ、この修正インデックスは、
−  割り当てられたアップリンクリソースの修正又はシフト、及び／又は、
−  セル固有のリソースと多地点協調固有のリソースとの切り替え機能、
を可能にする。
【００２７】
セル固有のリソースは、セル固有のリソースプールとすることができ、多地点協調固有のリソースは、多地点協調固有のリソースプールとすることができる。
【００２８】
特に、セル間の直交性とオーバヘッドの間のバランスを取るために、隣接セル内でも同様に同じＡ／Ｎリソースを使用できるという理由で、ＣｏＭＰ固有のＰＵＣＣＨリソースプールに基づくＡ／Ｎリソース割り当てを必要とすることができる。この割り当ては、ＤＬリソース割り当てグラントに含まれる動的Ａ／Ｎ修正インデックス（ＤＡＭＩ）により実現することができる。このＤＡＭＩは、ＣｏＭＰ固有のＡ／Ｎリソースプール内のＤＬリソース割り当てグラントにより与えられる非明示的Ａ／Ｎリソースを修正することができる。さらに、ＤＡＭＩは、セル固有のリソースプールとＣｏＭＰ固有のリソースプールの間のスイッチとして使用することができる。
【００２９】
さらなる実施形態によれば、アップリンク制御チャネルがＰＵＣＣＨである。
【００３０】
上述した課題は、無線ネットワークにおけるデータ処理装置によっても解決され、この装置は処理ユニットを含み、この処理ユニットは、
−  ある地理的領域のモバイル端末にアップリンク制御チャネルのための少なくとも２つのリソースプールを提供し、
−  これらの少なくとも２つのリソースプールが、この地理的領域内のモバイル端末によってアップリンク制御チャネルに使用されるようにする、
ように構成される。
【００３１】
なお、本明細書で説明する方法ステップは、この処理ユニット上でも同様に実行することができる。
【００３２】
装置は、とりわけ無線ネットワークの基地局とすることができる。
【００３３】
さらに、前記処理ユニットは、本明細書で説明する方法ステップを実行するように構成された少なくとも１つの、とりわけ複数の手段を含むことができる。この手段は、論理的又は物理的に分離することができ、特に少なくとも１つの物理ユニット内で複数の論理的に別個の手段を組み合わせることができる。
【００３４】
前記処理ユニットは、プロセッサ、マイクロコントローラ、配線回路、ＡＳＩＣ、ＦＰＧＡ、論理装置のうちの少なくとも１つを含むことができる。
【００３５】
本明細書において提供する解決策は、本明細書で説明する方法ステップを実行するためのソフトウェアコード部分を含む、デジタルコンピュータのメモリに直接ロード可能なコンピュータプログラム製品をさらに含む。
【００３６】
また、上述した課題は、本明細書で説明する方法をコンピュータシステムに実行させるようにされたコンピュータ実行可能命令を有するいずれかの種類の記憶装置などのコンピュータ可読媒体によっても解決される。
【００３７】
さらに、上述した課題は、本明細書で説明する少なくとも１つの装置を含む通信システムによっても解決される。
【００３８】
また、上述した課題は、無線ネットワークにおけるデータ処理システムによっても解決することができ、このシステムは、少なくとも１つの処理ユニット又は装置を備え、この少なくとも１つの処理ユニット又は装置は、
−  ある地理的領域のモバイル端末にアップリンク制御チャネルのための少なくとも２つのリソースプールを提供し、
−  これらの少なくとも２つのリソースプールの少なくとも一方が、この地理的領域内のモバイル端末によってアップリンク制御チャネルに使用されるようにする、
ように構成される。
【００３９】
さらに、上述した課題は、少なくとも１つの処理ユニット又は装置を備えたモバイル端末によっても解決することができ、この少なくとも１つの処理ユニット又は装置は、
−  ある地理的領域のアップリンク制御チャネルに提供される少なくとも２つのリソースプールを処理し、
−  これらの少なくとも２つのリソースプールの少なくとも一方を、この地理的領域内のアップリンク制御チャネルに使用する、
ように構成される。
【００４０】
ある実施形態によれば、これらの２つのリソースプールの少なくとも一方が、システム情報から導出されるセル固有のアップリンク制御チャネルに対応する。
【００４１】
別の実施形態によれば、ダウンリンクリソース割り当てメッセージで修正インデックスが伝えられ、この修正インデックスは、
−  割り当てられたアップリンクリソースの変更又はシフト、及び／又は、
−  セル固有のリソースと多地点協調固有のリソースの間の切り替え機能、
を可能にする。
【００４２】
以下の図に、本発明の実施形態を図示し説明する。
【図面の簡単な説明】
【００４３】
【図１】ＬＴＥリリース８〜１０による、２つのセルのＰＵＣＣＨ割り当てスキームを示す概略図である。
【図２】異なるセル及びＣｏＭＰ固有のリソースプールのための異なるＰＵＣＣＨリソースプールを含む概略図である。
【図３】２つのセル＃１及び＃２により動的Ａ／Ｎ空間が共有される、動的にスケジュールされたＰＤＳＣＨに適用されるＤＡＭＩ動作の原理を示す概略図である。
【図４】処理ユニットを備えた基地局及び処理ユニットを備えた移動局（ＵＥ）を含む概略ブロック図である。
【発明を実施するための形態】
【００４４】
多地点協調（ＣｏＭＰ）通信スキームは、特に協調している複数の送信及び／又は受信ポイントにおけるダウンリンク送信及び／又はアップリンク受信を意味し、協調のレベルは、緩いスケジューリング協調から、複数の送信及び／又は受信ポイントにわたる統合送信及び／又は受信にまで及ぶことができる。協調送信及び／又は受信ポイントは、地理的に分離することができる。協調送信及び／又は受信ポイントの組に対応する地理的領域は、ＣｏＭＰ協調エリアと呼ばれる。ＣｏＭＰスキームは、以下のように分類することができる。
【００４５】
オプション１
このシナリオでは、送信／受信ポイントの各々が独立セルを形成する。
【００４６】
全てのセル内の全てのユーザは、利用可能なアップリンクスペクトルのエッジにおける周波数リソースを使用してＰＵＣＣＨ上で送信を行う。例えば、同時に割り当てられたＰＵＳＣＨリソース上でアップリンク制御情報が伝送されることによりＰＵＣＣＨリソースが未使用である場合、及びＤＬ割り当てに全ての制御チャネル要素（ＣＣＥ）インデックスが使用されているわけではなく、従ってＡ／ＮシグナリングのためのＰＵＣＣＨリソースへのマッピングが行われる場合、何らかの種類の干渉平均化（すなわち部分的負荷）が非明示的に得られる。このようなシナリオでは、チャネル品質インジケータ（ＣＱＩ）レポート、及び（Ａ／Ｎメッセージとも呼ばれる）肯定応答／否定応答メッセージの伝送が、干渉の影響を受けることがある。
【００４７】
オプション１の特別な例として、送信ポイントが、同じキャリア周波数を有しているにもかかわらずキャリアアグリゲーション方式で動作する場合がある。単一周波数マルチサイトキャリアアグリゲーションの一形態としてＣｏＭＰにキャリアアグリゲーションシグナリングを使用するこの事例を検討すると、状況はわずかに異なる。すなわち、たとえ異なる送信ポイントの各々が一意のセル識別符号（ＩＤ）を有していても、複数の集約されたセルに使用されるＰＵＣＣＨは１つしか存在せず、容量制限又は高いＰＵＣＣＨオーバヘッドをもたらす。
【００４８】
オプション２
このシナリオでは、複数の（例えば全ての）協調送信／受信ポイントが単一の論理セルの一部であり、ＵＥにとっては、これらの送信／受信ポイントが、この単一の論理セル内のｅＮＢアンテナポートのように見えることがある。
【００４９】
このシナリオでは、全てのＵＥが同じＰＵＣＣＨを共有し、従ってこれらのＵＥ全てに直交リソースが必要となるため高いＰＵＣＣＨオーバヘッドが問題になる。
【００５０】
なお、前記オプション１と２の組み合わせなどの様々な対策をダウンリンク又はアップリンク方向で使用することができ、従って利用可能なＰＵＣＣＨリソースを効率的に利用することができる。
【００５１】
とりわけ、これらのオプション１又は２を同時に又は交互に適用することを提案する。これにより、ＬＴＥ環境のアップリンク方向において最適なリソース利用が可能になる。
【００５２】
図１は、ＬＴＥリリース８〜１０による、２つのセル１０１、１０２のＰＵＣＣＨ割り当てスキームを示す概略図である。各セル１０１、１０２は、ＰＵＣＣＨシーケンスグループ、物理セル識別符号、及び関連するＰＵＣＣＨ構成パラメータにより特徴付けられる独自のＰＵＣＣＨリソースを有する。セル１０１及びセル１０２は、複数の異なるＰＵＣＣＨリソースプールを有し、セル１０１は、複数の永続的ＰＵＣＣＨ１０３及び複数の動的ＰＵＣＣＨ１０４を有する。永続的ＰＵＣＣＨは、チャネル状態情報レポートに使用される永続的ＰＵＣＣＨフォーマット２／２ａ／２ｂと、永続的ＡＣＫ／ＮＡＣＫ及びスケーリング要求インジケータに使用される永続的ＰＵＣＣＨフォーマット１／１ａ／１ｂとにさらに分割することができる（図１には図示せず）。これに応じて、セル１０２は、複数の永続的ＰＵＣＣＨ１０５及び複数の動的ＰＵＣＣＨ１０６を有する。
【００５３】
既存の解決策の問題点は、ＰＵＣＣＨがセル間干渉を受けることにより、ＤＬ  ＣｏＭＰ  ＵＥに関するチャネル状態インジケータ（ＣＳＩ）フィードバックのカバレッジが悪化し得る点である。なお、（ＣＳＩフィードバックサイズを含む）ＣＳＩフィードバックの量は、（マルチセルフィードバックが必要になるので）ＤＬ  ＣｏＭＰの導入に基づいて増加する。
【００５４】
本明細書で提示する解決策は、ＰＵＣＣＨオーバヘッドが過大になることも回避する。
【００５５】
提示する解決策は、ある地理的領域（すなわち、ＵＥの活動などに依存するセル又はセルグループ）に、この地理的領域内のＵＥに適用可能な複数の（特に少なくとも２つの）ＰＵＣＣＨリソースプールを提供するものである。
【００５６】
このＰＵＣＣＨリソースプールは、
−  所定のＰＵＣＣＨシーケンスグループ又はシーケンスグループホッピングパターン、
−  疑似ランダムホッピングパターンなどを導出するための所定のＰＵＣＣＨ物理レイヤセル識別情報、の少なくとも一方により識別することができる。
なお、ＰＵＣＣＨ物理レイヤセル識別情報を使用して、ＰＵＣＣＨシーケンスグループ又はシーケンスグループホッピングパターンを定義することもできる。
【００５７】
利用可能なＰＵＣＣＨリソースプールは、上位層シグナリングを使用して構成することができる。上位層シグナリングは、ＵＥ固有のものとすることができ、ＰＵＣＣＨシーケンスグループ及び／又はＰＵＣＣＨ物理レイヤセル識別情報を含むことができる。ＰＵＣＣＨ物理レイヤセル識別情報は、システム情報に含まれるセル識別情報とは異なることができる。しかしながら、リソースプールの１つは、システム情報から導出されるセル固有のＰＵＣＣＨに対応することができる。
【００５８】
任意に、ＰＵＣＣＨリソースプールの各々は、後方互換性を有する（すなわち、レガシーＵＥをサポートすることができる）。
【００５９】
図２は、異なるセル２０１〜２０４及びＣｏＭＰ固有のリソースプール２０５のための異なるＰＵＣＣＨリソースプールを含む概略図である。セル２０１〜２０４のためのＰＵＣＣＨリソースプールの各々は、セル固有の永続的ＰＵＣＣＨ２０６及びセル固有の動的ＰＵＣＣＨ２０８を含む。ＣｏＭＰ固有のリソースプール２０５は、永続的ＰＵＣＣＨ２０７及び動的ＰＵＣＣＨ２０９を含む。
【００６０】
従って、ＰＵＣＣＨは、２つの部分、すなわち、
−  異なるセル２０１〜２０４に割り当てられる別個のＰＵＣＣＨリソースプールを有するセル固有のＰＵＣＣＨ２０６、２０８と、
−  複数のセルに割り当てられる共通のＰＵＣＣＨリソースプールを有するＣｏＭＰ固有のＰＵＣＣＨ２０７、２０９と、
に分割される。
なお、キャリアアグリゲーションシナリオにおけるＰＵＣＣＨは、この特別な例と見なすことができる。さらに、ある地理的領域のために複数のＣｏＭＰ固有のＰＵＣＣＨを定めることもできる。
【００６１】
セル固有のＰＵＣＣＨリソースは、互いに干渉しないように、セル間で空間的に分離することができる。この結果、ＵＥを、（セル固有のＰＵＣＣＨ／ＣｏＭＰ（エリア）固有のＰＵＣＣＨなどの）異なるセットアップのための複数のＰＵＣＣＨ構成で構成することができる。このアプローチの利点は、ＰＵＣＣＨリソースの分離によってＣｏＭＰフィードバックが増加した時に、セル間干渉による影響が大きくない点である。また、ＰＵＣＣＨオーバヘッド、すなわちＰＵＣＣＨのために確保される物理リソースブロックの数を減少させることもできる。
【００６２】
各セル内には、ＣｏＭＰ固有の永続的ＰＵＣＣＨのための空間を形成するために、ＰＵＣＣＨブランキング（すなわち、セル固有の永続的ＰＵＣＣＨ領域のオーバーディメンジョニング）が適切に構成され、またＣｏＭＰ固有のＰＵＣＣＨにＰＵＣＣＨブランキングを使用して、セル固有の永続的ＰＵＣＣＨ及びセル固有の動的ＰＵＣＣＨのための空間を形成することもできる。
【００６３】
ＰＵＣＣＨブランキングの基本概念は、ＰＵＣＣＨ領域をオーバーディメンショニングすること、すなわち厳密に必要なリソース／ＰＲＢよりも多くのリソース／ＰＲＢをＰＵＣＣＨの使用に割り当て、最も外側のＰＲＢを未使用にしておくことである。このようにして、例えばある通信事業者の要件を満たすために、ＵＬ帯域幅を中心周波数に対して対称的に狭めることができる。ＰＵＣＣＨブランキングのさらなる詳細については、米国特許出願公開第２０１０／０１４２４６７号、及びこの点に関して言及し組み入れられている参考文献を参照されたい。
【００６４】
この文脈では、セル固有の永続的ＰＵＣＣＨ上で最も内側のＰＲＢを未使用にしておくことによりＰＵＣＣＨブランキングを適用して、ＣｏＭＰ固有の永続的ＰＵＣＣＨのための空間を形成する。一方で、ＣｏＭＰ固有の永続的ＰＵＣＣＨ上で最も外側のＰＲＢを未使用にしておいて、セル固有の永続的ＰＵＣＣＨのための空間を形成する。また、ＣｏＭＰ固有の永続的ＰＵＣＣＨの最も内側のＰＲＢを未使用にしておいて、セル固有の動的ＰＵＣＣＨのための空間も形成する。なお、最も内側の永続的ＰＵＣＣＨ  ＰＲＢのブランキングは、永続的ＰＵＣＣＨフォーマット１／１ａ／１ｂリソースのリソース割り当てに影響を与えるのに対し、上述した参考文献において検討されている最も外側の永続的ＰＵＣＣＨのＰＲＢのブランキングは、永続的ＰＵＣＣＨフォーマット２／２ａ／２ｂリソースのリソース割り当てに影響を与える。
【００６５】
ある実施形態によれば、セル固有のＰＵＣＣＨ及びＣｏＭＰ固有のＰＵＣＣＨに、「ｄｅｌｔａ＿ｓｈｉｆｔ」及び動的ＰＵＣＣＨの開始位置などの別個のＰＵＣＣＨ構成パラメータを使用することができる。
【００６６】
なお、リソースプールは、特にＰＵＣＣＨシーケンスグループ及び／又はＰＵＣＣＨ物理レイヤセル識別情報により定義される。リソースプール構成にＰＲＢ割り当ても組み合わせる場合には、ＰＵＣＣＨリソースの組を使用する。従って、
−  ＣｏＭＰ固有の及びセル固有のＰＵＣＣＨは、同じリソースプールを共有することができるが、これらは異なるＰＲＢを使用するので別個のリソースを有することができ、
−  セル固有のリソースプールは、同じＰＲＢを使用するにもかかわらず異なるリソースを有することができる。
【００６７】
別の実施形態では、ＣｏＭＰ固有のＰＵＣＣＨに対応するリソースプール（すなわち、ＰＵＣＣＨシーケンスグループ及びＰＵＣＣＨ物理レイヤセル識別情報）を、ＣｏＭＰエリア内のセル固有のリソースプールの１つと共有することができる。この実施形態は、マクロセルのカバレッジエリアがＲＲＨのカバレッジエリアと重複する（かつＲＲＨのカバレッジエリアを含む可能性がある）ことが予想されるという理由で、特にマクロセル又はマクロノードに適用することができる。
【００６８】
提案するアプローチを使用すると、ＵＥを以下の複数のＰＵＣＣＨ構成で構成することができる。
（１）ＵＥを、永続的ＰＵＣＣＨと動的ＰＵＣＣＨの両方にセル固有のＰＵＣＣＨリソースプールを利用するように構成することができる（これは、リリース８／９／１０のＵＥの動作モードである）。
（２）ＵＥを、永続的ＰＵＣＣＨにのみセル固有のＰＵＣＣＨシーケンスグループを利用するように構成できる一方で、動的ＰＵＣＣＨは、ＣｏＭＰ固有の又は協調エリア固有の構成などの他のＰＵＣＣＨリソースプール構成に従う。
（３）ＵＥを、永続的ＰＵＣＣＨと動的ＰＵＣＣＨの両方にＣｏＭＰ固有のＰＵＣＣＨリソースプールを利用するように構成することができる。
【００６９】
これらの構成オプションに加え、ＵＥは、セル固有のＰＵＣＣＨリソースプールとＣｏＭＰ固有のＰＵＣＣＨリソースプールの両方に対応する動的ＰＵＣＣＨを利用することもできる。
【００７０】
セル固有のＰＵＣＣＨは、ＵＥ間の空間的分離を利用することができる。いくつかの異なる地理的領域において、同じＰＵＣＣＨリソースを再利用することができる。さらに、この機構は、ランダム化機能と空間的再利用を組み合わせることができる。既存の空間的再利用機構を使用して、異なるセル固有のＰＵＣＣＨ内の非直交ＰＵＣＣＨリソース間に、必要なランダム性を与えることができる。
【００７１】
隣接セル内では同じＡ／Ｎリソースプールを同様に使用できるという事実により、セル間の直交性とオーバヘッドのバランスを取るために、ＣｏＭＰ固有のＰＵＣＣＨリソースプール上におけるＡ／Ｎリソース割り当てにさらなる柔軟性を必要とすることができる。このさらなる柔軟性は、ＤＬリソース割り当てグラントに含まれる動的Ａ／Ｎ修正インデックス（ＤＡＭＩ）により実現することができる。ＤＡＭＩは、ＣｏＭＰ固有のＡ／Ｎリソース内のＤＬリソース割り当てグラントにより与えられる非明示的Ａ／Ｎリソースを修正することができる。さらに、ＤＡＭＩは、セル固有のリソースとＣｏＭＰ固有のリソースの間のスイッチとして使用することもできる。
【００７２】
また、ＤＡＭＩは、ＵＥがどのリソース及びどのリソースプールを利用すべきかを指示することもできる。
【００７３】
なお、多くの場合、（例えば、ＲＲＨセルのための）同じＣｏＭＰ固有のＰＵＣＣＨリソースプールを共有するいくつかのセル内でのみＤＡＭＩが構成されていれば十分となり得る。従って、このような場合には、ＣｏＭＰ固有のＰＵＣＣＨリソースプールを使用する最も小さなセルにのみＤＡＭＩビットを導入することが経済的となり得る。
【００７４】
適用するＰＵＣＣＨ方式は、上位層又は動的レイヤ１シグナリングを介して、かつＵＥ固有の方法で構成することができる。セル固有のシステム情報にＣｏＭＰ／協調エリア固有のＰＵＣＣＨパラメータが含まれるようにすることが可能である。
【００７５】
任意に、２つの異なるＰＵＣＣＨ部分（セル固有及びＣｏＭＰ固有）間にＰＲＢ分離を導入する。
【００７６】
図３は、２つのセル＃１及び＃２により動的Ａ／Ｎ空間が共有される、動的にスケジュールされたＰＤＳＣＨに適用されるＤＡＭＩ動作の原理を示す概略図である。
【００７７】
この例では、ＤＡＭＩが、［−１、０、１、２］の値を有する２ビットで構成される。ＰＤＣＣＨの最も下位のＣＣＥによれば、第２のセル＃２に対応するＡ／Ｎリソースは、以下のように導出することができる。
2014517572.tif 000003
式中、
2014517572.tif 000004
は、対応するダウンリンク制御情報（ＤＣＩ）割り当ての伝送に使用される最初のＣＣＥの番号であり、
2014517572.tif 000005
は、上位層により構成される２次的Ａ／Ｎ空間の開始位置である。
【００７８】
例えば、図３の制御チャネル要素２２に関しては、ＵＥ＃５及びＵＥ＃１１がいずれもＡ／Ｎリソースを必要としており、ＤＡＭＩを使用しなければ衝突が起きることを示している。この衝突は、
−  リソースインデックス２２のＵＥ＃５のセル＃１にＰＵＣＣＨ  Ａ／Ｎリソースを割り当て、
−  ＤＡＭＩを通じた＋１のシフトによって示されるように、リソースインデックス２３のＵＥ＃１１のセル＃２にＰＵＣＣＨ  Ａ／Ｎリソースを割り当てる、
ことにより解決される。
【００７９】
ＤＡＭＩの別の実現は、少なくともいくつかのエントリがＣｏＭＰ固有のＰＵＣＣＨリソースプール内でスイッチとして動作し、これらのエントリの１つが、代わりにセル固有のリソースが使用されることを示すようにすることである。これにより、適用されるＰＵＣＣＨリソース割り当て方式の動的適応が可能になる。
【００８０】
さらなる検討及び利点
図４は、処理ユニット４０６を備えた基地局４０２（ｅＮＢ）及び処理ユニット４０５を備えた移動局４０１（ＵＥ）を含む概略ブロック図である。ＵＥ４０１からｅＮＢ４０２への通信はアップリンク通信４０３と呼ばれ、逆方向はダウンリンク通信４０４と呼ばれる。通信４０３、４０４の各々は、ペイロードデータ、シグナリング情報及び／又は制御情報を含むことができる。なお、ｅＮＢ４０２のカバレッジエリア内には複数のＵＥが存在することができる。また、複数の基地局が複数のカバレッジエリアを提供することもできる。
【００８１】
また、本明細書で説明した機能は、基地局及び／又は移動局の処理ユニットとともに実装することができる。さらに、装置は、組み合わせた又は分散した機能を提供することもできる。
【００８２】
なお、当業者であれば、いずれかの図に示すブロック構造を、様々な物理ユニットを提供することなどの様々な方法で実現することができよう。基地局又は移動局の各々、とりわけ処理ユニットは、ハードウェアとして、コンピュータ、マイクロコントローラ、ＡＳＩＣ、ＦＰＧＡ及び／又はその他の論理装置などのプロセッサ上で動作するソフトウェア及び／又はファームウェアなどのプログラムコードとして展開できる少なくとも１つの論理エンティティとして実現することができる。
【００８３】
本明細書で説明した機能は、ソフトウェア及び／又はハードウェアにより拡張される（無線）ネットワークの既存の構成要素に基づくことができる。さらに、本明細書で言及したｅＮＢは、いずれかの通信規格に準拠する何らかの基地局と呼ぶこともできる。従って、移動局又はＵＥは、モバイル通信システムへの、具体的には無線ネットワーク又は無線通信ネットワークへのインタフェースを備えたあらゆる移動局、端末又は装置などとすることができる。
【００８４】
提案した解決策は、レガシーＵＥとの互換性を有する。これにより、直交及び非直交リソースを最適に利用できるようになる。（ＣｏＭＰの要件とすることができる）ＣＳＩペイロードの大幅な増加時に、ＰＵＣＣＨカバレッジを維持することができる。また、ＣｏＭＰエリア固有のＰＵＣＣＨのサイズを最小化できることにより、ＰＵＣＣＨオーバヘッドを低減することもできる。このアプローチは、様々なＣｏＭＰ展開シナリオにおいて柔軟に使用することができる。
【００８５】
略語のリスト
Ａ／Ｎ  肯定応答／否定応答
ＡＣＫ／ＮＡＣＫ  肯定応答／否定応答
ＣＣＥ  制御チャネル要素
ＣｏＭＰ  多地点協調
ＣＱＩ  チャネル品質インジケータ
ＣＳＩ  チャネル状態インジケータ
ＤＡＭＩ  動的Ａ／Ｎ修正インデックス
ＤＣＩ  ダウンリンク制御情報
ＤＬ  ダウンリンク
ｅＮＢ  進化型ノードＢ（基地局）
ＩＤ  識別符号
ＬＴＥ  ロング・ターム・エボリューション
ＮＢ  ノードＢ（基地局）
ＰＲＢ  物理リソースブロック
ＰＵＣＣＨ  物理アップリンク制御チャネル
ＰＵＳＣＨ  物理アップリンク共有チャネル
ＲＢ  リソースブロック
ＲＲＨ  リモートラジオヘッド
ＳＣ−ＦＤＭＡ  シングルキャリア周波数分割多元接続
ＵＥ  ユーザ装置 
ＵＬ  アップリンク
【符号の説明】
【００８６】
２０１  セル＃１
２０２  セル＃２
２０３  セル＃３
２０４  セル＃４
２０５  ＣｏＭＰ固有
２０６  永続的ＰＵＣＣＨ（セル固有）
２０７  永続的ＰＵＣＣＨ（ＣｏＭＰ固有）
２０８  動的ＰＵＣＣＨ（セル固有）
２０９  動的ＰＵＣＣＨ（ＣｏＭＰ固有）
【図１】
2014517572.tif 000006
【図２】
2014517572.tif 000007
【図３】
2014517572.tif 000008
【図４】
2014517572.tif 000009
【国際調査報告】
2014517572.tif 000010
2014517572.tif 000011
2014517572.tif 000012